(57)【要約】  医学的エーロゾル療法のために用いられる医薬製剤（２）を噴霧化する簡単設計のアトマイザが提案される。医薬製剤（２）は、残留ガスなしで、２枚の環状フィルム片（２９，３０）から成る布製の袋（４）内に保持される。送出しプランジャ（１０）が空気圧の作用で駆動され、この送出しプランジャは、管状シール（２４）を使用して封止される。
2012517831.tif 000002
【特許請求の範囲】
【請求項１】
液体、特に医薬製剤（２）、特にその１回投与分を加圧し、前記液体を放出ノズル（６）に通して噴霧化すると共に／或いは小出しするための搬送装置（５）を備え、前記液体を噴霧化するネブライザ（１）において、
前記搬送装置（５）は、シリンダ（１１）内で変位可能なピストン（１０）と、前記シリンダ（１１）と前記ピストン（１０）との間を封止する関連のロール又はホースシール（２４）とを有すると共に／或いは、
前記搬送装置（５）は、前記液体を加圧し、前記液体を前記放出ノズル（６）に通して噴霧化すると共に／或いは小出しするよう油圧又は空気圧作動媒体（７）により駆動可能なポンプを有し又は形成すると共に／或いは、
前記搬送装置（５）は、油圧又は空気圧作動媒体（７）により駆動可能であり、前記搬送装置は、前記作動媒体（７）の圧力と比較して前記液体に作用する圧力を増大させるために圧力ブースタを有する、
ことを特徴とするネブライザ。
【請求項２】
空気又は別のガス、特に二酸化炭素が作動媒体（７）として用意されると共に／或いは前記ポンプは、小出しされるべき前記液体を加圧し、前記液体を前記放出ノズル（６）に通して噴霧化すると共に／或いは小出しするよう前記作動媒体（７）により駆動可能なピストン（１０）を有し、戻し手段、特にばね（１５）が前記ピストン（１０）をリセットすると共に／或いは液体をポンプ空間（１２）内に吸い込むよう前記ピストン（１０）と関連している、
請求項１記載のネブライザ。
【請求項３】
前記ネブライザ（１）は、前記作動媒体（７）のための圧力容器（８）を有し、特に、前記圧力容器（８）は、挿入可能な又はねじ込み式のカートリッジとして形成されると共に／或いは特に、前記圧力容器（８）は、あらかじめ引張り操作されており、或いは、その壁は、その容積の可逆的増大を可能にするよう少なくとも部分的に弾性変形可能である、
請求項１又は２記載のネブライザ。
【請求項４】
前記圧力ブースタは、前記圧力を少なくとも５倍、好ましくはほぼ１０倍以上に増大させるよう設計されていると共に／或いは前記圧力ブースタは、前記液体を圧送するためにピストン（１０）としてステップピストン又はダブルピストンを有する、
請求項１ないし３のいずれか１項に記載のネブライザ。
【請求項５】
液体、特に医薬製剤（２）のリザーバを備え、前記液体を噴霧化するネブライザ（１）であって、前記リザーバが前記液体を貯める袋（４）を含む、ネブライザにおいて、
前記袋（４）は、包囲又は環状接合領域（３１）内で互いに接合された２枚のフィルム片（２９，３０）で形成されると共に／或いは、
前記袋（４）は、ローブ状、環状又は円板状に形成されると共に／或いは前記袋（４）にはガセットがない、
ことを特徴とするネブライザ。
【請求項６】
前記接合領域（３１）は、少なくとも実質的に扁平に形成されると共に／或いは前記フィルム片（２９）は、これらの内部が互いに接合されると共に／或いは前記フィルム片（２９，３０）は、結合、封着又は溶接、特に超音波溶接により互いに接合されると共に／或いは少なくとも１枚のフィルム片（２９，３０）は、少なくとも実質的に円板状又は環状に作られている、
請求項５記載のネブライザ。
【請求項７】
前記ネブライザ（１）又は前記リザーバは、接合領域（３２）で前記袋（４）に接合された連結部品（２８）を有する、
請求項５又は６記載のネブライザ。
【請求項８】
前記接合領域（３２）は、全体にわたり丸形であると共に／或いは環状であると共に／或いは前記接合領域（３２）は、少なくとも実質的に扁平に作られると共に／或いは前記連結部品（２８）は、フィルム片（２９，３０）に接合され、前記連結部品（２８）は、前記フィルム片（２９，３０）の少なくとも実質的に平坦な表面領域内に挿入される、
請求項７記載のネブライザ。
【請求項９】
前記連結部品（２８）は、前記袋（４）の２つの別々のフィルム片（２９，３０）又は側部に接合された２つの別々の接合領域（３２）を有し、特に、前記接合領域（３２）は、前記連結部品（２８）の反対側の側部に設けられる共に／或いは互いに遠ざかる方向に向いていると共に／或いは特に、前記接合領域（３２）は、同軸に且つ／或いは上下に配置されている、
請求項７又は８記載のネブライザ。
【請求項１０】
前記連結部品（２８）は、前記袋（４）のための１つの接合領域（３２）又は２つの接合領域（３２）を形成するためのフランジ、特に環状フランジ（２３）を有し、特に、前記連結部品（２８）は、前記袋（４）の流体結合のための結合チャネル（３４）を有し、前記結合チャネル（３４）は、前記フランジを貫通して半径方向に延びている、
請求項７ないし９のいずれか１項に記載のネブライザ。
【請求項１１】
前記連結部品（２８）は、結合、封着又は溶接、特にエアザー（Oaser）又は超音波溶接により前記袋（４）又は前記袋（４）のフィルム片（２９，３０）に接合されると共に／或いは前記連結部品（２８）は、少なくとも１つの弁（１３）を有する、
請求項７ないし１０のいずれか１項に記載のネブライザ。
【請求項１２】
前記リザーバは、空気又は残留気泡のない液体で満たされ又は満たすことができると共に／或いは前記ネブライザ（１）は、
請求項１ないし４のいずれか１項に記載に従って構成されている、請求項５ないし１１のいずれか１項に記載のネブライザ。
【請求項１３】
液体、特に医薬製剤（２）をリザーバから吸い込むと共に／或いは特に個々の投与分の状態で前記液体を加圧し、前記液体を放出ノズル（６）に通して噴霧化すると共に／或いは小出しするための搬送装置（５）及び前記液体を放出方向に小出しするために対応の圧力又は吸引力を受けて開いたり自動的に逆方向に閉じたりする機械操作式逆止弁（１３，１４）を備え、前記液体を噴霧化するネブライザ（１）において、
前記液体の流れを可能にする前記逆止弁（１３，１４）は、特に前記リザーバを充填するために前記小出し方向とは逆の方向に磁気的に又は電気的に開くことが可能である、
ことを特徴とするネブライザ。
【請求項１４】
前記逆止弁（１３，１４）は、金属製の特に磁気的又は磁化可能な弁要素（３７）を有する共に／或いは前記ネブライザ（１）は、請求項１〜２６のうちいずれか一の記載に従って構成されている、
請求項１３記載のネブライザ。
【請求項１５】
液体、特に医薬製剤（２）を噴霧化する方法において、ばねの力を受けて動くピストン（１０）により前記液体をリザーバからポンプ空間（１２）内に吸い込み、次に、作動媒体（７）を前記ピストン（１０）に作用させて前記ピストン（１０）を前記ばねの力に抗して引っ込め、前記ポンプ空間（１２）内に吸い込まれた前記液体を加圧し、前記液体を放出ノズル（６）に通して小出しすると共に噴霧化する、
ことを特徴とする方法。
【発明の詳細な説明】
【技術分野】
【０００１】
本発明は、請求項１、５又は１３の前提部に記載されたネブライザ及び液体、特に医薬製剤を噴霧化する方法に関する。
【０００２】
本発明は、特に、ピストンポンプにより医薬製剤等を極めて正確に計量供給し、次に噴霧化して非常に微細なスプレーミストを形成するネブライザに関する。
【背景技術】
【０００３】
本発明の出発点は、国際公開第２００６／１２５５７７（Ａ２）号パンフレットに記載されているような吸入器の形態をしたネブライザである。ネブライザは、噴霧化されるべき医薬製剤のリザーバとして、医薬製剤を収容した内袋を備えた詰め替え式の硬質容器と、ピストン及び関連の駆動ばねを備え、医薬製剤を搬送して噴霧化する搬送装置とを有している。公知のネブライザでは、噴霧化の実施が可能になる前に駆動ばねを手動で引っ張らなければならない。公知のネブライザは、比較的多くの部品で構成されており、非常に厳格な製造公差を必要とする。
【先行技術文献】
【特許文献】
【０００４】
【特許文献１】国際公開第２００６／１２５５７７（Ａ２）号パンフレット
【発明の概要】
【発明が解決しようとする課題】
【０００５】
本発明の目的は、特に医用液体を噴霧化するネブライザ及び方法であって、簡単であって安価であり且つ／或いは頑丈な構成及び／又は簡単な操作を可能にするネブライザ及び方法を提供することにある。
【課題を解決するための手段】
【０００６】
この目的は、請求項１、５又は１３記載のネブライザ或いは請求項１５記載の方法によって達成される。有利な改造例は、従属形式の請求項の内容である。
【０００７】
本発明の第１の態様によれば、ネブライザの搬送装置は、シリンダ内で変位可能なピストン及びシリンダとピストンとの間にシールを形成する関連のロール形又はホース形シールとを有する。これにより、通常用いられる環状シール等と比較して摩擦力を著しく減少させることができる非常に簡単であって安価であり、特に、気密構造体の実現が可能になる。これにより、操作及び駆動が容易になる。
【０００８】
本発明の第２の態様によれば、搬送装置は、特に医用液体に圧力を及ぼして液体を噴霧化すると共に／或いは放出ノズルを通って液体を例えばジェット又は他の何らかの仕方で小出しするために油圧又は空気圧作動媒体によって駆動可能なピストンを有する。これにより、非常に簡単な操作が可能である。特に、駆動ばね等の手動引張り操作は、もはや不要である。
【０００９】
本発明の第３の態様によれば、搬送装置は、油圧又は空気圧作動媒体により駆動可能であり、この搬送装置は、作動媒体の圧力と比較して液体に作用する圧力を高めるために圧力ブースタを有する。この目的のため、特に、二重又はステップピストン（ガイドピストンともいう）が用いられ、このピストンは、それと同時に、好ましくは、液体のためのポンプピストンとなる。これにより、高すぎるほどではない作動圧力の作動媒体によって非常に高い小出し圧力、及び特に非常に良好な噴霧化を達成できる非常に簡単であって安価であり且つ／或いはコンパクトな構造体の実現が可能になる。
【００１０】
本発明の第４の態様によれば、搬送装置は、特に放出ノズルを通って特に医用液体を圧力下で且つ所望の仕方で小出しするために油圧又は空気圧作動媒体の入った圧力容器を有し、特に、ネブライザを多数回使用したときに圧力下における作動媒体の圧力降下を減少させるよう少なくとも部分的にばね弾性である―例えば波形の壁によって―ように形成される。これにより、ネブライザの特にコンパクトであり且つこれに対応して簡単且つ安価であると共に頑丈な構成の実現が可能である。
【００１１】
本発明の第５の態様によれば、リザーバは、包囲又は環状接合領域において互いに接合された２枚のフィルム片の袋で作られると共に／或いは袋は、ロール状、環状又は円板状に形成される。これにより、塗工に簡単且つ安価な構造の実現が可能である。特に有利には、リザーバは、袋のみから成る。袋は、特に溶接、封着、結合等によって非常に平べったい、包囲した且つ／或いは環状の接合部を備えた状態で非常に簡単に製作可能である。特に、袋には、密封に関する問題を生じさせる場合のあるガセットが設けられていない。
【００１２】
本発明の第６の態様によれば、ネブライザ又はリザーバ、例えば袋は、送り出し方向における液体の小出しのために開いたり逆方向に自動的に閉じたりする逆止弁を有し、逆止弁は、特にリザーバを充填するために液体が送り出し方向とは逆の方向に流れることができるよう磁気的に、電気的に又は機械的に開くことができる。これにより、ネブライザ及びリザーバの非常に簡単な構成及び非常に簡単な充填が可能である。かかるリザーバは又、ネブライザとは別個独立に実現可能であると共に液体供給可能である。
【００１３】
本発明の個々の態様及び他の特徴は、互いに別個独立に具体化できると共に／或いは任意所望の組み合わせで互いに組み合わせ可能である。
【００１４】
本発明の別の利点、特徴、性質及び観点は、特許請求の範囲の記載及び図面の助けを借りて与えられる好ましい実施形態についての以下の説明から明らかになる。
【図面の簡単な説明】
【００１５】
【図１】閉じられた状態のキャップ付きの提案対象のネブライザの概略断面図である。
【図２】噴霧化中におけるキャップなしのネブライザの概略断面図である。
【図３】ネブライザの制御弁を非作動状態で示す概略拡大断面図である。
【図４】図３に対応した図であり、制御弁を噴霧化のための作動状態で示す図である。
【図５】図３に対応した図であり、変形例としての制御弁を非作動状態で示す図である。
【図６】図４に対応した図であり、図５の変形例としての制御弁を噴霧化のための作動状態で示す図である。
【図７】ロール型又はホース型シール付きのピストンの付近のネブライザの概略断面図である。
【図８】連結及び小出し部品を備えた取り付け状態におけるネブライザのリザーバの概略断面図である。
【図９】製造方法を示すために非充填状態のリザーバの概略断面図である。
【図１０】図９のリザーバの平面図である。
【図１１】別の変形例としてのネブライザの概略断面図である。
【発明を実施するための形態】
【００１６】
図中、同一の参照符号は、対応の同等な性質及び利点を達成する同一又は類似の部品について用いられている。なお、説明の繰り返しを省略する。
【００１７】
図１は、液体、特に医薬製剤２を噴霧化する提案対象のネブライザ１を概略断面図で示している。具体的にいえば、ネブライザ１は、薬物又は医学的エーロゾル療法のための吸入器である。しかしながら、「液体」という用語は又、好ましくは、他の液体、分散液、溶液及び分散液の混合液等を含む。
【００１８】
図１は、ネブライザ１を特にキャップ３付きであると共に非作動又は閉鎖状態で示している。図２は、ネブライザ１を図１に対応した概略断面図で示しているが、キャップ３なし且つ作動状態で、しかも噴霧化及び小出し中の状態で示している。
【００１９】
ネブライザ１は、小出しされるべき液体のリザーバを有し、このリザーバは、この場合、好ましくは袋４によって形成されている。袋４の好ましい構造について以下に詳細に説明する。
【００２０】
ネブライザ１は、好ましくは、液体２を特に個々の投与分の状態で加圧し、これをネブライザ１の放出ノズル６に通して噴霧化し、又は他の何らかの仕方で、例えばジェットとして小出しするための搬送装置５を有している。放出ノズル６は、概略的に示されているに過ぎない。
【００２１】
搬送装置５は、好ましくは、油圧又は空気圧作動媒体７により駆動可能である。具体的に説明すると、搬送装置５は、ポンプ、特に好ましくは計量型ポンプ及び／又はピストンポンプを有し、或いはかかるポンプを形成する。これは、好ましくは、特に液体を加圧してこれを放出ノズル６に通して噴霧化し又は他の何らかの仕方で小出しするよう作動媒体７により駆動可能である。
【００２２】
好ましくは、ネブライザ１は、作動媒体７のための圧力容器８又はこれを収容している圧力容器８を有する。特に好ましくは、圧力容器８は、挿入可能であり且つ／或いは連結可能である、例えばねじ込み式のカートリッジとして形成される。作動媒体７は、好ましくは、空気又は別のガス、例えば二酸化炭素である。
【００２３】
本発明のまた別個独立に実現可能な態様によれば、圧力容器８及びその壁は、好ましくは、その容積を増大させるようにあらかじめ引っ張られると共に／或いは少なくとも部分的に弾性変形可能である。また、これについては、一例として図１１の助けを借りて後で説明する。
【００２４】
圧力容器８は、適当な連結部によってガス密状態で搬送装置５及び／又はネブライザ１の中間に連結された制御弁９に連結されるのが良い。
【００２５】
搬送装置５及びポンプは、小出しされるべき液体を吸い込み、圧送し、計量すると共に／或いは加圧し、液体を放出ノズル６に通して噴霧化すると共に／或いは小出しするためにピストン１０及びポンプ区分１６を有している。ピストン１０及びその作動区分１７は、好ましくは、作動媒体により駆動可能である。しかしながら、原理的には、他の何らかの駆動方式も又利用できる。
【００２６】
ピストン１０及びそのポンプ区分１６は、好ましくは、シリンダ１１内で変位可能であると共に／或いは案内可能である。この関係で、注目されるべきこととして、ピストン１０及びそのポンプ区分１６は、好ましくは、形状が円筒形であり、シリンダ１１は、これに対応して、中空シリンダとして形成されているが、原理的には、他の相互に適した断面形状の採用も又可能である。
【００２７】
シリンダ１１内におけるピストン１０及びポンプ区分１６の往復運動に起因して、液体は交互に、リザーバ及び袋４からポンプ空間１２内に吸い込み可能であり（吸引ストローク）、次に、放出ノズル６を通って小出し可能である（加圧又は噴霧化ストローク）。
【００２８】
ネブライザ１、リザーバ及び袋４又は搬送装置５は、好ましくは、リザーバ及び袋４をポンプ空間１２に流体結合するために図８に断面で示されているように入口弁又は第１の逆止弁１３を有し、その結果、吸引ストローク中、液体を袋４からポンプ空間１２内に吸い込むことができ、他方、加圧及び噴霧化ストローク中、液体が袋４内に運ばれて戻ることはない。ネブライザ１及び搬送装置５は、より好ましくは、出口弁又は第２の逆止弁１４を有し、この弁は、吸引ストローク中、空気が放出弁６を通ってポンプ空間１２内に吸い込まれるのを阻止し、加圧及び噴霧化ストローク中、液体がポンプ空間１２から放出ノズル６を通って小出しするのを可能にするようポンプ空間１２と放出ノズル６との間に配置されている。
【００２９】
吸引ストロークの際、入口弁又は第１の逆止弁１３が開き、出口弁又は第２の逆止弁１４が閉じる。加圧及び噴霧化ストローク中、入口弁又は第１の逆止弁１３が閉じ、出口弁又は第２の逆止弁１４が開く。
【００３０】
ポンプ空間１２は、図示の例では、実質的にポンプ１０及びシリンダ１１並びに場合によっては弁１３，１４によって形成されると共に画定される。
【００３１】
吸引ストローク後における、即ち、加圧及び噴霧化ストローク前における図１に示されたピストン１０の位置（下方位置）を本発明では初期位置と呼ぶ。加圧及び噴霧化ストロークの完了後であって次の吸引ストローク前における図２に示されたピストンの位置（上方位置）を本発明では最終位置と呼ぶ。２つの位置相互間のストロークは、毎回小出しされる液体の量、即ち、投与分を定める。
【００３２】
ネブライザ１及び搬送装置５又はポンプは、好ましくは、戻し手段、特にばね１５を有し、このばねは、特にピストン１０を初期位置に戻すためにピストン１０と関連している。具体的に説明すると、吸引ストローク及びリザーバ又は袋４からの液体の吸い込みは、戻し手段、即ちばね１５の力により起こる。しかしながら、他の構造的手段の採用も可能である。
【００３３】
ネブライザ１及び搬送装置５は、好ましくは、作動媒体７の圧力と比較して液体に作用する圧力を増大させるために圧力ブースタを有する。圧力ブースタは、特に、ダブルピストン及び／又はステップピストン（ガイドピストンともいう）によって形成され、このピストンは、この場合、好ましくはピストン１０により形成されている。それと同時に、ピストンは又、好ましくは、液体に直接作用するポンプピストンを形成している。しかしながら、他の構造的手段の採用も又可能である。具体的に説明すると、圧力ブースタは又、ポンプ、ポンプピストン等とは別個独立に形成されると共にこれとは機械的に分離されるのが良く、例えば、中間媒体及び／又は駆動装置を介してポンプ及びポンプピストンに作用するのが良い。
【００３４】
図示の例では、ピストン１０は、ダブルピストンとして形成され、このピストンは、一方において、作動媒体７により駆動可能であり、他方において、液体を圧送する。この関係で、作動媒体７は、ピストン１０の大きな有効断面部分に作用し、これに対し、ピストン１０は、これとは対照的に、所要の圧力増大を達成するために対応して小さな断面積部により液体を押す。
【００３５】
特に好ましくは、ピストン１０又はステップピストンは、ポンプ空間１２と関連してこの中に嵌まり込んでいる比較的細いポンプ区分１６及びポンプ区分１６と比較して断面が好ましくは実質的に拡大された作動区分１７を有し、この作動区分１７は、シリンダ１１ａ内で特に気密状態で動くことができると共に案内される。例えば、作動区分１７の直径は、約５ｍｍであり、ポンプ区分１６の直径は、２ｍｍ未満である。ピストン１０のストローク長さは、好ましくは、約１０ｍｍである。
【００３６】
特に好ましくは、ピストン１０、特にダブル又はステップピストンは、一部品として形成されている。このピストンは、好ましくは、金属、セラミックス又は他の適当な材料若しくは別の適当な材料又は複合材料から成る。
【００３７】
図示の例では、ばね１５は、好ましくは、一端が作動区分１７からポンプ区分１６への移行部のところで肩で支持される。ばね１５は、その他端部が、例えば、シリンダ１１の外側を包囲している環状区分内に嵌まり込んでいる。しかしながら、この場合、他の構造的手段の採用も又可能である。
【００３８】
作動空間１８が図２に示されているように作動区分１７と関連しており、作動区分１７及び圧力ブースタ又はピストン１０に作用するため、特にピストン１０を駆動するためにこの作動空間に作動媒体７を供給充填することが可能である。
【００３９】
作動媒体７による作動空間１８及び／又は作動区分１７の充填は、制御弁９により制御される。
【００４０】
図３は、ネブライザ１の断面図において、制御弁９を非作動状態で極めて概略的に示している。この状態では、作動空間１８は、外部に通気される。これは、図示の例では、対応の弁要素１９によって行なわれ、この弁要素は、作動空間１８を周囲に連結する通気チャネル２０を備えている。
【００４１】
図４は、図３に対応した図であり、制御弁９が作動位置にある状態を示している。この場合、特に貫通穴により形成された弁要素１９の結合チャネル２１は、圧力容器８を作動空間１８に連結して作動区分１７及びピストン１０が作動媒体７によって加圧されると共に駆動されるようになっている。図４の矢印は、作動媒体７の流れを示している。
【００４２】
弁要素１９を作動させると共に調節するため、制御弁９は、好ましくは、関連のハンドル２２又は他の何らかの調節要素を有する。
【００４３】
制御弁９は、例えば、これがハンドル２２の作動中にのみ、又は指定された時間の間若しくはピストン１０が最終位置に達するまでの間だけ作動状態のままであるように形成されるのが良い。しかしながら、制御弁９は又、これを作動状態から非作動状態に調節することができ又はその逆の関係が成り立つよう、即ち非作動状態から作動状態に調節することができ、いずれの場合においてもハンドル２２等を作動させるだけで調節を行えるよう形成されるのが良い。
【００４４】
図３及び図４に示された例では、制御弁９は、好ましくは、回転弁又は丸形コック弁（cock valve）として形成される。図５及び図６は、図３及び図４に対応した図において、滑り（スライド）弁の形態をした制御弁９の変形例を示している。機能は、この場合、同一である。
【００４５】
制御弁９のハンドル２２は―好ましくはプラスチック部品からあらかじめ引張り操作されている―特に２つの安定した設定値、即ち、一方において、非作動位置（図３及び図５）及び作動位置（図４及び図６）を有する。ハンドル２２又は別の作動要素は、好ましくは、回動式レバー又は押しボタンとして形成される。要件に応じて、ハンドル２２と弁要素１９の切り換えを可能にすると共に／或いは偶発的な作動等を阻止するために制御弁９にロックを設けることが可能である。
【００４６】
制御弁９は、好ましくは―例えば、図示していない回転又は並進ばねにより―この制御弁が常時、静止又は非作動状態（図３及び図５）に戻るよう形成される。
【００４７】
図１に示されたネブライザ１の状態から始まって（ピストン１０は、その初期位置にある）、キャップ３を開いて取り外した後に制御弁９を作動させるのが良い（必要ならば、制御弁９の結合又は遮断を可能にしてキャップ３が閉じられたときに、制御弁９の作動が可能ではないようにし、液体２の小出しが可能ではないようにする）。制御弁９及びネブライザ１の作動に起因して、ピストン１０は、作動媒体７により駆動され、ポンプ空間１２内に入っている液体は、圧力を受けて（オプションとしての）第２の逆止弁１４及び放出ノズル６に通されて小出しされ、特に噴霧化され、ついには、ピストン１０がその最終位置に達するようにする。
【００４８】
次に、制御弁９がその非作動状態に戻り又は戻されると、作動空間１８は、通気され、ピストン１０は、特に、ポンプ空間１２内への液体の吸い込み状態下において戻し手段（ばね１５）の力によるだけでその初期位置に戻ることができる。したがって、極めて簡単でユーザーフレンドリーな操作が達成される。
【００４９】
袋４は、液体の放出に協働する。これは、問題なく且つ事実上その柔軟設計により圧力損失なしで達成可能である。したがって、液体をリザーバからポンプ空間１２内に非常に容易に吸い込むことができ、したがって、ばねの力は、非常に大きいものである必要はないようになっている。これは、噴霧化と両立可能である。というのは、加圧及び噴霧化ストロークの際にばね力に打ち勝たなければならないからである。
【００５０】
好ましくは、ばね１５は、ピストン１０が完全に初期位置に常時戻るようにするためにあらかじめ引っ張られた状態で設けられている。
【００５１】
できるだけ一様な噴霧化を達成するため、作動媒体７について圧力制御又は調整を行なうのが良い。具体的に説明すると、ピストン１０及び圧力ブースタに作用する作動圧力をできるだけ一定に保つために必要ならば圧力制御弁又は調整弁を設けるのが良い。特に好ましくは、この場合、制御弁９は、圧力制御又は調整弁として直接形成される。しかしながら、他の構造上の手段の採用も又可能である。
【００５２】
追加的に又は代替的に、ネブライザ１及び制御弁９は、スプレータイミング調整手段を更に有するのが良い。これは、例えば、対応の流れ抵抗を備えた放出ノズル６又はスロットル等を採用することにより達成可能である。
【００５３】
圧力容器８内における作動媒体７の圧力は、好ましくは、約１〜５ＭＰａ、特に約２〜３ＭＰａである。
【００５４】
圧力ブースタは、好ましくは、圧力を少なくとも５倍、特に１０倍以上増大させるよう設計されている。
【００５５】
ネブライザ１は、好ましくは、小出し中、搬送装置５及びポンプチャンバ１２内の液体が作動媒体７の力に起因して、実質的に５ＭＰａ〜６０ＭＰａ、特に約１０ＭＰａ〜５０ＭＰａの圧力に達するよう形成されている。特に好ましくは、液体の小出し及び噴霧化の際、放出ノズル６及びそのノズル開口部のところでは約５〜６０ＭＰａ、特に約１０〜３０ＭＰａの圧力に達する。次に、液体は、図２に概略的に示されているようにスプレーミスト（エーロゾル）２３に変換される。
【００５６】
スプレーミスト２３の液滴は、好ましくはせいぜい２０μｍ、好ましくは約３μｍ〜１０μｍの空力学的直径を有する。
【００５７】
必要ならば、放出ノズル６から複数のジェットを小出しすることにより噴霧化作用及び噴霧化効果を達成することができ又はこれによって一段と助けることができ、これらジェットは、放出ノズル６から出た直後に混ざり合う。代替的に又は追加的に、スプレーミスト２３の出口速度及び／又は伝搬速度の減速も、このようにして達成できる。
【００５８】
ストローク１回又は投与１回当たりに小出しされる液体の量は、好ましくは、約１０μｌ〜５０μｌ、最も好ましくは１５μｌである。
【００５９】
加圧及び噴霧化ストローク１回当たりの放出持続時間は、好ましくは、１〜２秒、又はユーザ（図示せず）の約１〜２回の吸息である。
【００６０】
図７は、搬送装置５及びポンプの一領域及び特にシリンダ１１に対するピストン１０の好ましい密封具合を非常に概略的な断面で示している。好ましくは、ロール又はホースシール２４がピストン１０と関連し、シリンダ１１とピストン１０との間にシールを形成するようになっている。シール２４は、好ましくは、ポンプ空間１２をその端部のところで気密封止し、ピストン１０の往復運動の結果としてピストン１０により可逆的に変形されるフィルム状ホース又は他の何らかの適当な材料片から成る。具体的に説明すると、シール２４は、ピストン１０の運動中、ピストン１０上で且つ／或いはシリンダ１１内で転がりながらくっついたり離れたりする。非常に僅かな程度の摩擦力を極めて小さな死空間で且つピストン１０とシリンダ１１との間の気密且つ緊密なシールで達成可能である。また、極めて簡単な構成が達成される。
【００６１】
必要ならば、シール２４は又、袋４又は袋４のフィルム片を備えた一体品として形成されても良く且つ／或いは袋４に連結されても良い。
【００６２】
シール２４は、好ましくは、非常に軟質且つ／或いはガス密材料で作られる。
【００６３】
図示の例では、シール２４は、例えばシリンダ１１を形成するシリンダ構造部品２６，２７相互間の端領域２５でクランプ状態に且つ／或いは緊密に保持される。しかしながら、他の構造的手段の採用も又可能である。
【００６４】
ロール又はホースシール２４は、特に好ましくは、密封ホースにより形成され、この密封ホースは、取り付け中、ピストン１０上に引っ張られ、部分的折り返し機能領域に密封円板又はディスクとしてその好ましくはフランジ状縁領域２５を備えると共に／或いはシリンダ１１内に挿入され又はクランプされる。
【００６５】
ピストン１０とシリンダ壁との間の環状隙間は、好ましくは、実質的に、ホース材料の肉厚の２倍に相当している。ピストン１０の往復運動中、ホースは、これに対応して転がって離れる。
【００６６】
代替的に又は追加的に、上述のロール又はホースシール２４は、作動媒体７に対するシールのために、即ち、作動空間１８内において駆動側にも使用でき、作動を区分１７のためにも使用できる。提案対象のロール又はホースシール２４は、この場合、特に好ましくは、それと同時に、作動空間１８のためのシールとしての役目を果たすと共に作動媒体７を液体に対して封止するのに役立つ。
【００６７】
ネブライザ１は、使用中における摩擦損失が最小限である。ロール又はホースシール２４は、従来型滑り摩擦ピストンシールよりも実質的に小さい摩擦を呈する。さらに、製造公差は、実質的に小さい、というのは、例えば、高い表面品質を備えた構造部品が不要であり、しかもシリンダ内へのピストン１０の特別な適合が不要だからである。
【００６８】
提案対象のロール又はホースシール２４は又、必要ならば、ベロー型のメンブレン等で置き換え可能である。
【００６９】
液体及び／又は作動媒体７に関するロール又はホースシール２４の使用は又、好ましくは、本発明の他の観点とは独立しており、かかるロール又はホースシールは、特に、他のネブライザ若しくは吸入器又は他の小出し装置にも使用できる。
【００７０】
液体の噴霧化は、上述したように特に簡単な仕方で実施できる。ネブライザ１及びキャップ３を開放した後、制御弁９を作動させる。作動媒体７がピストン１０に作用を及ぼし、ピストン１０がばね１５の力に抗して最終位置まで動き、ポンプ空間１２内に入っている液体が加圧され、放出ノズル６を通って小出しされると共に噴霧化されるようにする。次に、ピストン１０により液体をリザーバ―この場合、袋４―からポンプ空間１２内に吸い込む。それにより、ピストン１０は、制御弁９がその初期位置若しくは通気位置又はその非作動状態に戻り又は戻された後、即ち、作動空間１８が通気されたとき、ばね１５の力に起因して初期位置に再び戻され、その結果、ピストン１０及び作動区分１７に作用する圧力が少なくとも十分な程度まで減少し或いは完全に打ち消されるようにする。
【００７１】
ネブライザ１を所望ならばピストン１０が初期位置又は最終位置にある状態で再び閉じてしまい込むことができる。ネブライザ１をピストン１０がかなり長い期間にわたって最終位置にある状態でしまい込む場合、ピストン１０を最終位置に機械的にロックすることができるようにするためにロック装置等（図示せず）を設けるのが良い。このロックは、例えばキャップ３を開くことによって解除可能である。
【００７２】
代替的に又は追加的に、キャップ３が制御弁９を制御し、作動させると共に／或いは制止することも可能である。例えば、キャップ３は、キャップ３の開放時に制御弁９が非作動状態及び通気位置に―少なくとも短期間にわたり―切り替わり、作動空間１８を通気するように制御弁９又は他の装置に結合されるのが良い。これは、ネブライザ１をピストン１０が最終位置にあり、キャップが閉じられた状態でしまい込むことができる場合に推奨できる。
【００７３】
しかしながら、キャップ３は、例えば、数段階で開放可能であっても良く、それと同時に、作動要素又はハンドル２２としての役目を果たし又は作動要素又はハンドル２２として働くことができる。例えば、制御弁９の作動は、キャップ３がその開放最終位置に達し又はばね力に抗してその通常の最終位置から更に幾分開かれた場合にトリガされて作動媒体７が作動空間１８内に流入して噴霧化を行なうことができるようにするのが良い。
【００７４】
さらに、キャップ３及び／又はネブライザ又はハウジングの別の部分が閉鎖状態にある制御弁９又はそのハンドル２２を覆い又は制止して制御弁９又はハンドル２２をネブライザ１が開かれたときにのみ作動させることができるようにすることも可能である。
【００７５】
上述したように、液体のリザーバは、特に好ましくは、袋４として形成される。図８は、図１及び図２の非常に概略的な断面図で、袋４を好ましくは第１の逆止弁１３又は他の何らかの入口弁が一体化されている関連の連結部品２８を備えた状態で示しており、図８に示されている第２の逆止弁１４又は他の何らかの出口弁及び放出ノズル６は、連結部品２８に装備され又は取り付けられている。袋４は、好ましくは、柔軟性であり又は変形可能であるように形成され、特に、極めて軟質である。
【００７６】
図８は、断面が放物線の形状に曲げられた形状を備えた袋４を示しており、袋４は、例えばネブライザ１内においてこの形を採用することができる。しかしながら、袋４は、原理的に、任意他の形状を採用しても良い。図９は、例えば製造中又は製造直後において、関連の連結部品２８を備えた袋４を非充填状態で示している。図１０は、図９の袋４の平面図である。
【００７７】
袋４は、好ましくは、２枚のフィルム片２９，３０で作られており、これらフィルム片は、特に、包囲し又は環状の且つ／或いは外部の接合領域３１のところでのみ互いに接合されている。特に好ましくは、フィルム片２９，３０は、結合、封着、特にヒートシール又は溶接、特に超音波溶接により互いに接合される。
【００７８】
接合領域３１は、好ましくは、少なくとも実質的に扁平に作られる。
【００７９】
フィルム片２９，３０は、好ましくは、これらの内側でのみ互いに接合される。
【００８０】
特に好ましくは、フィルム片２９，３０は、接合領域３１への移行部のところでは折り重ねられていない。これとは異なり、フィルム片２９，３０は、接合領域３１では好ましくは実質的に扁平に又は滑らかに変化しており、これは、特に取り付け状態にも当てはまる。
【００８１】
フィルム片２９，３０は、それぞれ、好ましくは少なくとも実質的に円板状又は環状且つ／或いは一部品として（特に、シームレスの状態に）作られる。特に、これらフィルム片は、それぞれ、閉じリングを形成している。これにより、必要な溶接部又は他の接合部が最小限に抑えられる。
【００８２】
好ましくは、袋４及びその柔軟性壁は、２枚のフィルム片２９，３０でのみ作られる。
【００８３】
袋４は、好ましくは、ローブ状、環状又は円板状且つ／或いは扁平に且つ／或いはガセットなしで作られる。
【００８４】
好ましくは、連結部品２８は、袋４及びフィルム片２９，３０に直接接合される。好ましくは、連結部品２８は、この目的で、特にぐるりと丸形に且つ／或いは環状に且つ／或いは少なくとも実質的に扁平に作られた接合領域３２を有する。
【００８５】
フィルム片２９，３０は、好ましくは結合又は溶接、特にレーザ溶接又は超音波溶接により互いに接合される。
【００８６】
フィルム片２９，３０は、好ましくは接合又は溶接、特に超音波溶接により接合領域３２に接合される。
【００８７】
好ましくは、連結部品２８は、２つの別々の接合領域３２を有し、これら接合領域３２は、２枚の別々のフィルム片２９，３０又は袋４の側部に接合され又は接合可能である。特に、これら接合領域３２は、連結領域２８の互いの反対側に且つ／或いは同軸に又は互いに上下に配置される。特に、接合領域３２は、好ましくは、互いに遠ざかる方向に向く。
【００８８】
特に好ましくは、連結部品２８は、図９に示されているように、袋４のための接合領域３２又は２つの接合領域３２の形成のためにフランジ、特に環状フランジ３３を有する。この場合、接合領域３２は、好ましくは、フランジの前側又は軸方向側部上に形成される。接合領域３２は、好ましくは、フィルム片２９，３０の簡単で連続した且つ包囲し又は閉鎖されたシール及び連結を可能にすると共にこれを保証するために両方共環状に形成され又は閉じられる。
【００８９】
連結部品２８及び環状フランジ３３は、好ましくは、フィルム片２９若しくは３０又は両方のフィルム片２９，３０の少なくとも実質的に扁平な表面領域内に挿入される。
【００９０】
好ましくは、連結部品２８は、袋４の流体結合のための結合チャネル３４を有している。結合チャネル３４は、フランジ３３を貫通して好ましくは半径方向に延びている。この目的のため、フランジ３３は、必要ならば、結合チャネル３４の付近で厚肉にされるのが良く又はぐるりと丸形で十分な厚さを有するのが良い。
【００９１】
図９には、フランジ３３は、実質的に一定の軸方向厚さを有するものとして示されている。好ましくは、袋４は、特に、真空を充填作業の前に袋の内部に適用することによって、これに少なくとも実質的に空気がない状態で又は残留気泡がない状態で液体を充填することができるよう形成される。少なくとも実質的に空気又は残留気泡がない状態でこの袋の充填を可能にし又は助けるため、フランジ３３は、特に好ましい変形例によれば、外方に円錐状にテーパするのが良く又は外縁まで減少する軸方向厚さ、好ましくは最小値まで減少する厚さを有するのが良い。しかしながら、この場合、他の構造的手段の採用も又可能である。
【００９２】
好ましくは、連結部品２８は、少なくとも１つの弁、この場合、入口弁又は第１の逆止弁１３を備える。
【００９３】
連結部品２８は又、必要ならば、ポンプ空間１２及び／又はシリンダ１１又はシリンダ構造部品２６又は２７等を形成することができる。この場合、種々の構造的手段の採用が可能である。一変形例によれば、連結部品２８内に収容された弁１３は、連結部品２８の中央貫通穴に対して結合チャネル３４内に引っ込められており、ピストン１０が連結部品２８の穴の中で弁１３のところにおいて通り過ぎることができるようになっており、したがって、ここにポンプ空間１２も又形成することができるようになっている。
【００９４】
袋４及びフィルム片２９，３０は、好ましくは、柔軟性であるように作られる。特に、対応のフィルム又は他の材料は、フィルム片２９，３０を製造すると共に形成するために用いられる。
【００９５】
袋４及びフィルム材料は、好ましくは、液密だけではなく、実質的にガス密である。特に、この目的のために、複合材料、例えば金属化又は積層フィルム、多層フィルム構造体等も又使用可能である。これら全ては、「フィルム」及び「フィルム材料」という用語により含まれることは理解されたい。
【００９６】
さらに、フィルムは、内部に、接合領域３１及び／又は接合領域３２内での積層又は密封を可能にすると共に容易にするために密封層等を備えるのが良い。
【００９７】
図１０は、接合領域３１及び接合領域３２が、それぞれ、好ましくは環状に且つぐるりと丸形に形成されていることを示している。
【００９８】
提案対象のネブライザ１は、作動するのが極めて容易であり且つ構造が極めて簡単である。
【００９９】
ネブライザ１を使用するためには、２つのステップしか必要ではない。先ず最初に、キャップ３を開かなければならない。次に、制御弁９を作動させることにより噴霧化をトリガする（ピストン１０が既に初期位置にあると仮定する）。作動は、極めて簡単である。というのは、圧力容器８を介してエネルギー供給が作動媒体７、例えば圧縮空気と一体化されるからである。次に、制御弁を再び非作動位置にリセットし、キャップ３を閉じ、この場合、制御弁９のリセットは、必要ならば、自動的に又はハンドル２２の解除後に又はキャップ３を閉じることによっても実施可能である。
【０１００】
ネブライザ１は、作動における信頼性が非常に高く、かかるネブライザにより、特に、液体の１回投与分の完全な小出しが可能である。事実、ネブライザ１は、好ましくは、制御弁９の作動時に、ピストン１０の完全な加圧及び噴霧化ストロークが常時起こるように設計されている。内部エネルギー供給により、不完全な作動又は誤作動が排除される。
【０１０１】
提案対象のネブライザ１は、好ましくは、空気圧の作用で駆動可能である。これにより、ネブライザ１の極めて簡単な設計及び構成が可能である。
【０１０２】
液体は、好ましくは圧力下にはない状態でリザーバ又は袋４内に入れられている。ただし、加圧下で入れることは、原理的には可能である。圧力発生は、好ましくは―少なくとも主として―ピストンポンプ及び搬送装置５を介して起こる。
【０１０３】
作動媒体７は、好ましくは、液体から常時離れており、特に、これと一緒には放出されない。ただし、一緒に放出されることは、原理的には可能である。
【０１０４】
液体は、極めてコンパクト且つ制限された容積部内に貯えられると共に計量される。これにより、ネブライザ１の極めてコンパクトな構造の実現が可能である。
【０１０５】
さらに、必要な構造要素の数が最小限に抑えられているのでネブライザの極めて簡単な構成が可能である。というのは、ネブライザ１は、大部分が又は全体がプラスチック部品で構成可能であると共に／或いは公差に関する要件が少ないからである。リザーバは、例えば、２枚のフィルム片２９，３０だけで作られ、したがって、製造するのが簡単且つ安価である。
【０１０６】
キャップ３は、好ましくは、回転可能な保護キャップとして設計される。キャップ３は、特に、ノズルヘッド及び放出ノズル６をほこり又は他の汚染要因物から保護する。
【０１０７】
ネブライザ１は、好ましくは、図１に破線で示されているに過ぎないマウスピース３５を有し、ユーザ（図示せず）は、マウスピース３５を吸入のために自分の口に当てることができるようになっている。制御弁９を作動させて噴霧化操作を開始した後、ユーザの口の中への液体の直接的な噴霧化及び小出しが起こる。しかしながら、原理的には、ネブライザ１の他の用途及び使用も又可能である。
【０１０８】
ネブライザ１は、好ましくは、例えば１回から２回の患者の吸息のために医薬製剤２の短時間の噴霧化向きに設計されている。しかしながら、ネブライザ１は、長い時間をかけた噴霧化又は連続噴霧化のためにも設計されると共に使用可能である。
【０１０９】
設計対象のネブライザ１は、好ましくは、特に純粋に機械的に且つ／或いは空気圧の作用で動作する。しかしながら、ネブライザ１は、原理的には、任意他の仕方及び手法でも動作することができる。
【０１１０】
固定器具等とは対照的に、提案対象のネブライザ１は、好ましくは、持ち運び可能であるように設計され、特に、このネブライザは、携帯可能な手持ち型器具である。
【０１１１】
ネブライザ１は、その好ましくは円筒形の形状及び／又は特に長さが１５ｃｍ未満であると共に／或いは直径又は幅が５ｃｍ未満であるそのハンディなサイズにより、常時ユーザにより持ち運び可能である。
【０１１２】
ネブライザ１は、好ましくは、放出端部から始まって、これが先ず最初に、ノズルヘッド、放出ノズル６及びリザーバを有するように構成されている。この後に、搬送装置５及びポンプが設けられている。エネルギー貯蔵装置及び圧力容器８は、次に位置している。しかしながら、原理的には、他の配置状態の採用も又可能である。
【０１１３】
ネブライザ１は、好ましくは、上述のコンポーネントを収容する共通ハウジング３６を有する。
【０１１４】
好ましくは、リザーバは、入口及び出口弁又は第１及び第２の逆止弁１３，１４及び／又はノズルヘッド及び放出ノズル６と一緒になって、あらかじめ組み立てられた第１の構造群を形成する。
【０１１５】
搬送装置５は、好ましくは、同様にあらかじめ組み立てられている第２の構造群を形成する。最終組み立てのため、２つの構造群は、ハウジング３６内に収納される。
【０１１６】
好ましくは、圧力容器８は次に―例えばリザーバ４の充填時に―液体又は医薬製剤２に用いられ又はこれに結合可能である。オプションとして、圧力容器８の連結も又、後で実施可能である。
【０１１７】
必要ならば、圧力容器８をハウジング３６の下方部分によって直接形成しても良く或いは圧力容器８がハウジング３６を形成しても良い。圧力容器８は、この関係で、管状であり、ボトルの形をしており、或いは、扁平に形成されても良く、カン又は円板状に形成されても良い。
【０１１８】
図１１は、図２に実質的に対応した極めて概略的な図で、ネブライザ１の１つの変形例を示している。この場合、圧力容器８は、ネブライザ１のハウジング３６の少なくとも一部分（下方部分）を形成している。これは又、本発明のオプションとして独立して実現可能な観点をなしている。
【０１１９】
特に好ましくは、圧力容器８は又、カートリッジのように下からネブライザ１及びハウジング３６にねじ込むのが良く、すると、ネブライザ１は―最初の使用前に―いつでも使用可能な状態にある。これにより、長期間にわたる貯蔵の際の圧力損失が阻止される。
圧力容器８のハウジング３６の好ましくは少なくとも部分的に弾性の設計により、ネブライザ１の多数回の作動及び使用の場合でも圧力降下を最小限に抑えることができる。
【０１２０】
図１１の変形例は、圧力容器８及びネブライザ１の外壁の好ましくは部分的に弾性の設計を示している。好ましくは波形の容器区分３８は、圧力容器８が満杯であるときに弾性的にあらかじめ引っ張られており、したがって、ネブライザ１の多数回の作動及び使用の場合でも、圧力降下は、好ましくは、非弾性圧力容器８と比較して大幅に減少するようになっている。
【０１２１】
ばね１５が収容され、一方において、シール２４によってシリンダ１１ａ内の作動区分１７から封止されると共に他方においてシリンダ１１内のポンプ区分１６から封止されている空間は、好ましくは、外方に通気される。図１１に示されている変形例では、ネブライザ１及び搬送装置５は、好ましくは、この目的のために通気開口部３９を有している。しかしながら、他の構造的手段の採用も又可能である。
【０１２２】
注目されるべきこととして、図１１に示された変形例の個々の特徴及び観点は、図１〜図１０に示された実施形態と一緒に所望ならば互いに組み合わせ可能である。
【０１２３】
液体によるリザーバ及び袋４の充填は、好ましくは、ネブライザ１の組み立て後にのみ、好ましくは薬剤充填装置によってのみ起こる。適当なラベル付け、包装等も又、この時点で実施されるのが良い。
【０１２４】
ネブライザ１は、好ましくは、これを充填手順の実施前に例えば放射線により滅菌することができるよう設計される。この目的のため、ネブライザ１は、好ましくは、少なくとも大部分が又は全体が適当なプラスチック材料等で作られる。
【０１２５】
特に好ましくは、リザーバ及び袋４には空気又は残留気泡のない液体が充填され又は充填可能である。
【０１２６】
リザーバ及び袋４を充填するため、好ましくは、外部圧力、例えば圧縮空気を先ず最初に適用して袋４を完全に潰して残留空気を追い出す。
【０１２７】
リザーバ及び袋４の実際の充填のため、関連の弁１３―及びネブライザ１の取り付け及び組み立てが既に行なわれている場合では、場合によっては第２の弁１４も又―特に好ましくは磁気作用で開かれる。これは、特に、充填機械（図示せず）及び１つ又は２つの磁石を取り付けることにより実施され、磁石は、充填機械の充填ヘッド内に組み込まれるのが良い。
【０１２８】
好ましくは、弁１３又は弁１３，１４は、弁１３又は弁１３，１４の磁気作用による開放を可能にするため―特に閉鎖ばねの力に抗して―液体が小出し方向とは逆の方向に流れることができるようにするため、特に好ましくは、丸形弁の形態をした金属製及び／又は特に磁性又は磁化可能な弁要素３７を有する。弁要素３７又は弁１３又は１４の他の何らかの要素内において、磁気要素又は複数個の磁性粒子も又プラスチック材料中に注入されるのが良い。磁気作用により開放及び磁性要素の注入に関するこれらの観点は又、互いに別個独立に且つ本発明とは別個独立に他のネブライザ１等にも実現可能である。
【０１２９】
しかしながら、弁１３及び／又は１４は、例えば、マグネチックバルブ又は電磁弁であっても良く、これら弁は、例えば、袋４の充填のために電気的に開放可能である。
【０１３０】
組み立て状態のネブライザ１内への袋４の詰め込み後、ノズルヘッド及び放出ノズル６は、必要ならば、保護クロージャ、例えば粘着性保護フィルム等で覆われるのが良い。この場合、これは、ネブライザ１を最初に用いる前に取り外し可能である。
【０１３１】
提案対象のネブライザ１は、必要ならば、液体を噴霧化するためだけでなく、オプションとして、液体のスプレー状小出し又は他の形態の小出しのために使用可能である。
【符号の説明】
【０１３２】
１  ネブライザ
２  製剤
３  キャップ
４  袋
５  搬送装置
６  放出ノズル
７  作動媒体
８  圧力容器
９  制御弁
１０  ピストン
１１  シリンダ
１１ａ  シリンダ
１２  ポンプ空間
１３  第１の逆止弁
１４  第２の逆止弁
１５  ばね
１６  ポンプ区分
１７  作動区分
１８  作動空間
１９  弁要素
２０  通気チャネル
２１  連結チャネル
２２  ハンドル
２３  スプレーミスト
２４  ロール又はホースシール
２５  端領域
２６  シリンダ構造部品
２７  シリンダ構造部品
２８  連結部品
２９  フィルム片
３０  フィルム片
３１  接合領域
３２  接合領域
３３  環状フランジ
３４  連結チャネル
３５  マウスピース
３６  ハウジング
３７  弁要素
３８  容器区分
３９  通気開口部
【図１】
2012517831.tif 000003
【図２】
2012517831.tif 000004
【図３】
2012517831.tif 000005
【図４】
2012517831.tif 000006
【図５】
2012517831.tif 000007
【図６】
2012517831.tif 000008
【図７】
2012517831.tif 000009
【図８】
2012517831.tif 000010
【図９】
2012517831.tif 000011
【図１０】
2012517831.tif 000012
【図１１】
2012517831.tif 000013
【国際調査報告】
2012517831.tif 000014
2012517831.tif 000015
2012517831.tif 000016
2012517831.tif 000017
2012517831.tif 000018
2012517831.tif 000019
2012517831.tif 000020
2012517831.tif 000021
2012517831.tif 000022
2012517831.tif 000023